(57)【要約】【課題】顔のうぶ毛や眉毛などの毛を手入れし処理する場合に、処理部と刃先を鏡で目視し易くし、正確かつ素早い手入れを可能にする。【解決手段】櫛歯状の固定刃５２および可動刃５０を有する眉美容器において、モータ１２および電池１４を収容する略筒状の握り部１０と、この握り部１０から直線的にのび握り部１０より小径のロッド部２８およびその先端にあって握り部１０の直径より幅が狭い扁平部３０を持つヘッド部と、扁平部３０に収容されこの扁平部３０の先端からヘッド部２４の長手方向に突出する櫛歯状の固定刃５２および可動刃５０と、ロッド部２８内に挿通されモータ１２の駆動力を可動部５０に伝えて可動刃５０を往復駆動する伝動部材３６と、を備える。【選択図】図１
2008229263.tif 000002
【特許請求の範囲】
【請求項１】
櫛歯状の固定刃および可動刃を有する眉美容器において、
モータおよび電池を収容する略筒状の握り部と、この握り部から直線的にのび握り部より小径のロッド部およびその先端にあって前記握り部の直径より幅が狭い扁平部を持つヘッド部と、
前記扁平部に収容されこの扁平部の先端からヘッド部の長手方向に突出する櫛歯状の固定刃および可動刃と、
前記ロッド部内に挿通され前記モータの駆動力を前記可動部に伝えて前記可動刃を往復駆動する伝動部材と、
を備えることを特徴とする眉美容器。
【請求項２】
ヘッド部にロッド部より大径な着脱操作部が一体に形成され、ヘッド部は握り部に着脱可能である請求項１の眉美容器。
【請求項３】
扁平部の幅は着脱操作部の直径よりも小さい請求項２の眉美容器。
【請求項４】
ヘッド部には握り部と略同じ外径を持つカバーが着脱可能である請求項１〜３のいずれかの眉美容器。
【請求項５】
伝動部材は、ヘッド部内に通されモータで回転駆動される回転軸であり、この回転軸の先端に設けた偏心ピンが可動刃に設けた長溝に係合して可動刃を往復動させる請求項１〜４のいずれかの眉美容器。
【請求項６】
固定刃の幅は可動刃の可動範囲より広く、固定刃の幅方向両側に櫛歯の先端と略同一高さの平坦部が形成されている請求項１〜５のいずれかの眉美容器。
【発明の詳細な説明】
【技術分野】
【０００１】
この発明は、極めて小さい櫛歯状の固定刃および可動刃を持ち、眉毛など顔の手入れに好適な眉美容器に関するものである。
【背景技術】
【０００２】
顔の眉毛を整形したり、細かいうぶ毛を剃ったりして手入れするための電動式の美容器が従来よりある。
【０００３】
【特許文献１】特開昭５４−１５４６６４
【特許文献２】特開昭５７−２００１７８
【特許文献３】実開昭５６−４４６５７
【０００４】
特許文献１には、全体として略棒状の本体（１）の一端を本体（１）の長手方向に長い扁平形状とし、この扁平形状部分の両縁に本体長手方向に長い櫛歯状の固定刃（４）および可動刃（５）を設けた電気かみそりが示されている。従ってこの電気かみそりは略棒状の本体を皮膚の表面と平行にして本体をその径方向に移動させるものである。
【０００５】
特許文献２には、略棒状の把持体（１）の一端から湾曲してのびる連結ハウジング（９）を設け、この連結ハウジング（９）の上端に直交する刃支持体（１７）を上下揺動自在に設けたトリマー型電気かみそりが示されている。ここに刃支持体（１７）の幅は把持体（１）の径に比べて十分に大きく、全体としてほぼＴ字形を形成する。
【０００６】
特許文献３には、刃部（１５）を固定した腕部（９）を刃部（１）に対して上下揺動可能に固定した電気かみそりが示されている。ここに刃部（１５）と腕部（９）は略Ｔ字型となり、これらが一体となって刃部（１５）と平行な軸（８）の回りに回動する。
【発明の開示】
【発明が解決しようとする課題】
【０００７】
特許文献１に示されたものは、本体（１）が先端までのびていて、この先端部分の両縁に長手方向の刃があるため、実際の使用時には眉などに刃を位置合わせすると本体（１）が目の前を覆うことになり、鏡を見ながら処理する時に刃先を確認しにくいという問題がある。
【０００８】
特許文献２および３に示されたものは、いずれも刃部（特許文献２の刃支持体１８、特許文献３の刃部１５）とこれを支持する腕部（同じく連結ハウジング９、腕部９）とが略Ｔ字型となっている。ここに刃部は固定刃および可動刃の長さ方向の寸法（横幅）およびこれに直交し刃と平行方向の寸法（前後幅）が大きくなる。このため実際の使用時には処理する場所によっては刃先と皮膚との接触部分を鏡で目視しにくく、目当を付けて毛を処理する必要がある。
【０００９】
この発明はこのような事情に鑑みなされたものであり、顔のうぶ毛や眉毛などの毛を手入れし処理する場合に、処理部と刃先を鏡で目視し易くし、正確かつ素早い手入れをするのに適する眉美容器を提供することを目的とする。
【課題を解決するための手段】
【００１０】
この発明によればこの目的は、櫛歯状の固定刃および可動刃を有する眉美容器において、モータおよび電池を収容する略筒状の握り部と、この握り部から直線的にのび握り部より小径のロッド部およびその先端にあって前記握り部の直径より幅が狭い扁平部を持つヘッド部と、前記扁平部に収容されこの扁平部の先端からヘッド部の長手方向に突出する櫛歯状の固定刃および可動刃と、前記ロッド部内に挿通され前記モータの駆動力を前記可動部に伝えて前記可動刃を往復駆動する伝動部材と、を備えることを特徴とする眉美容器、により達成される。
【発明の効果】
【００１１】
握り部を略筒状とし、握り部からのびるヘッド部を直線的にのばし、ヘッド部はロッド部とその先端の扁平部とで形成し、扁平部の先端に櫛歯状の固定刃および可動刃を突出させ、ロッド部内に通した伝動部材によって可動刃を往復駆動すると共に、扁平部の幅を握り部の直径（最大外径）よりも小さくしたものであるから、握り部をペンを握るように握って操作でき、操作性が良い。
【００１２】
この時扁平部は小さくロッド部は細い（握り部より小径）ので眉などを鏡に写して見ながら処理する際に目視の障害にならない。このため処理箇所を目視により確認しながら正確にかつ素早く処理することができる。
【発明を実施するための最良の形態】
【００１３】
握り部は円筒状とするのがよいが、例えば四角形、六角形など多角形であってもよい。ヘッド部は握り部に着脱可能にし、ヘッド部を交換可能にするのがよい。この場合ヘッド部にロッド部より大径な着脱操作部を一体に設け、この着脱操作部によって握り部に着脱すれば、着脱操作がし易くなる（請求項２）。
【００１４】
また扁平部の幅をこの着脱操作部の直径より小さくすれば、ヘッド部にカバーを着脱する場合に都合がよい（請求項３、４）。すなわちヘッド部をその先端から覆うカバーを被せる場合に扁平部が障害にならず、カバーを先端側からヘッド部の根元すなわち着脱操作部まで覆うように略円筒状に形成することができる。
【００１５】
伝動部材はヘッド部内に通した回転軸とし、モータで回転軸を回転する一方、この回転軸の先端を扁平部内に進入させ、この先端に設けた偏心ピンを、可動刃に設けた長溝に係合させることによって、可動刃を往復動させることができる（請求項５）。また固定刃の幅を可動刃の可動範囲より広くし、固定刃の幅方向両側に櫛歯の先端と略同一高さの平坦部を形成するのが望ましい（請求項６）。櫛歯部分が皮膚に強く当たって皮膚や肌を傷めるのをこの両側の平坦部で防ぐことができるからである。
【実施例１】
【００１６】
図１は本発明の一実施例の使用状態を示す斜視図、図２はそのヘッド部の分解斜視図、図３は同じくヘッド部の着脱機構を示す斜視図、図４は握り部の内部構造を示す斜視図である。
【００１７】
これらの図において符号１０は握り部であり、円筒形のペン軸状の太さと長さを持つ。この握り部１０の内部にはモータ１２および電池（単４型）１４が後記ヘッド部２４側から順に収納されている。モータ１２の回転軸１６は握り部１０の端面に設けた着脱穴１８内に突出している。この突出端には、後記する伝動部材としての回転軸３６に係合して回転を伝える角柱状の係入部材２０が固定されている。握り部１０にはスライドスイッチ２２が取付けられ、スイッチ２２の操作によってモータ１２の駆動をオン・オフできる。
【００１８】
２４はヘッド部である。このヘッド部２４は握り部１０側から先端側に向かって順に、着脱操作部２６と、ロッド部２８と、扁平部３０とをほぼ直線的に形成したものである。着脱操作部２６は握り部１０と略同径の円筒状であり、ロッド部２８はこれより小径である。なおこのロッド部２８の断面形状は円形ではなく僅かに扁平である。扁平部３０は厚さがロッド部２８の直径とほぼ同じで、横幅が着脱操作部２６の直径より僅かに小さい。
【００１９】
ヘッド部２４は、着脱操作部２６側の端面に突設した係合円筒部３２を前記握り部１０側の着脱穴１８内に係入させることによって握り部１０に着脱可能である。すなわち係合円筒部３２の外周には一対の突起３４が形成される一方、前記着脱穴１８の内周面にはこの突起３４が通る中心軸線方向（長手方向）の溝（図示せず）が形成されている。この溝は先端（底側）が周方向に折曲している。突起３４をこの溝に位置合わせして着脱操作部２６の係合円筒部３２を着脱穴１８内に挿入し、着脱操作部２６を僅かに回転することにより突起３４を溝の先端（底側）に係合させることができる。この結果全体は図１に示すように全体が直線的な略ペン形となる。
【００２０】
ヘッド部２４内には伝動部材としての回転軸３６が通されている。この回転軸３６はロッド部２８内に支持され、その着脱操作部２６側の端は係合円筒部３２から突出し、この突出部３８には、前記係入部材２０が係入する。すなわちこの突出部３８には角柱状の係入部材２０に対応する角柱状凹部４０（図３）が形成され、これら係入部材２０と角柱状凹部４０とはヘッド部２４を握り部１０に結合した時に係合する。このためモータ１２の回転は回転軸３６に伝えられる。
【００２１】
次に扁平部３０を説明する。扁平部３０は扁平方向の割り面で重ね合わせた下ケース４２と上ケース４４とを備える。下ケース４２はロッド部２８と一体であり、上ケース４４は下ケース４２の側縁に突設した一対の係合爪４６により結合可能である。上ケース４４の内面には四角柱４８（図２）が突設されている。この四角柱４８はヘッド部２４の長手方向と平行な２辺とこれに直交する２辺を持つ。
【００２２】
５０は可動刃、５２は固定刃である。可動刃５０には図２に示すように、四角柱４８に係合する長方形の開口５４が形成されている。すなわちこの開口５４は四角柱４８の扁平部３０幅方向の２辺に係合してヘッド部２４の長手方向の移動が規制される一方、四角柱４８の他のヘッド部２４長手方向の２辺との間に間隙をもっていて扁平部３０の幅方向への移動を許容する。
【００２３】
固定刃５２には四角柱４８と係合してその移動が規制される開口５６が形成されている。固定刃５２はこの開口５６を四角柱４８に係合させた状態で、この四角柱４８に固定される。すなわち四角柱４８の端面には四角柱４８と同形状のロック板５８が回動可能に取付けられ、ロック板５８の４辺を四角柱４８の各辺に一致させた位置にすれば、可動刃５０および固定刃５２が四角柱４８に順に係脱可能である。
【００２４】
また可動刃５０および固定刃５２を四角柱４８に係合させた状態でロック板５８を僅かに（約４５°）回転させれば、固定刃５２がロック板５８に係合し固定刃５２が四角柱４８に保持される。なお上ケース４４の内面には板ばね（図示せず）が取付けられ、可動刃５０を固定刃５２側に押圧し、両者の摺動接触圧を適切に保持する。
【００２５】
可動刃５０はその反先端側が固定刃５２よりもロッド部３６側へ突出し、ここに樹脂製のブロック６０が固定されている。このブロック６０には上下方向すなわち扁平部３０に対して垂直方向（厚さ方向）の長溝６２が形成されている。この長溝６２には、前記回転軸３６の先端に取付けた偏心ピン６４が係入する。このため回転軸３６の回転により偏心ピン６４が長溝６２内を摺動し、可動刃５０は扁平部３０の横幅方向へ往復動する。
【００２６】
可動刃５０および固定刃５２の先端は扁平部３０の先端より僅かに（約２mm）突出し、これら先端に形成した小さい櫛歯（深さ約１mm）によって微小な毛を剃るものである。ここに固定刃５２の先端の幅は可動刃５０の可動範囲より広く、固定刃５２の幅方向の両側に櫛歯の先端と略同一高さの平坦部６６が形成されている。この平坦部６６は、刃先を皮膚に当てた時に櫛歯が皮膚に強く当たるのを防ぎ、皮膚を保護する機能を持つ。
【００２７】
図１において、６８はカバーである。このカバー６８は握り部１０と略同じ外径を持ち一端を閉じた円筒形である。このカバー６８は、開口端側をヘッド部２４の先端側から被せ、開口端の内周面を着脱操作部２６の外周面に嵌合して固定する。この状態では全体が１本の円柱状になるため、収納し易く持ち運びに便利である。
【００２８】
この美容器は、図１に示すようにペンを握るように握り部１０を持ち、スイッチ２２をオンにすると共に先端の扁平部３０を鏡に写した顔の眉毛などの処理部に位置合わせする。そして扁平部３０をその厚さ方向すなわち可動刃５０と固定刃５２に対して垂直方向に移動させることにより、眉毛などの処理を行うことができる。この際ヘッド部２４のロッド部２８が細く、扁平部３０が小さいので、処理位置を鏡で目視により確認し易く、作業がやり易く素早い処理が可能である。
【図面の簡単な説明】
【００２９】
【図１】本発明の一実施例１の使用状態を示す斜視図
【図２】ヘッド部の分解斜視図
【図３】ヘッド部の着脱機構を示す斜視図
【図４】握り部の内部構造を示す斜視図
【符号の説明】
【００３０】
１０  握り部
１２  モータ
１４  電池
２２  スイッチ
２４  ヘッド部
２６  着脱操作部
２８  ロッド部
３０  扁平部
３６  回転軸（伝動部材）
５０  可動刃
５２  固定刃
６２  長溝
６４  偏心ピン
６６  平坦部
６８  カバー
【図１】
2008229263.tif 000003
【図２】
2008229263.tif 000004
【図３】
2008229263.tif 000005
【図４】
2008229263.tif 000006